(57)【特許請求の範囲】
【請求項１】
集合玄関に設置される集合玄関機（７）と、各住戸内に設置され、個別の部屋番号および電気錠釦（４１）を有する複数の居室機（３ａ、３ｂ、…）と、各住戸内に設置され、呼出釦（４８）を有する玄関子機（４ａ、４ｂ、…）と、各住戸の近傍に設置される分岐器（１ａ、１ｂ、…）と、管理室内等に設置される管理室親機（９）と、前記集合玄関機、前記居室機、前記管理室親機をそれぞれ制御するための制御機（５）とから構成され、
前記分岐器は、訪問者が前記集合玄関機から前記居室機を呼出して訪問先の前記住戸へ訪問する際に前記住戸への経路を知らせて誘導するための複数の表示灯（２１ａ、２１ｂ、２１ｃ、…）を備え、
前記居室機は、前記電気錠釦が居住者により押下されたことを検出し、前記表示灯を点灯制御するためのＣＰＵ（３９）を備え、
前記制御機は、前記表示灯を前記住戸ごとに設定した誘導パターンで表示させるためのパターン記憶部（５８）と、前記呼出釦が前記訪問者により押下されたことを検出し、前記表示灯を消灯制御するためのＣＰＵ（５６）とを備えたことを特徴とする集合住宅用インターホンシステム。
【請求項２】
前記制御機は、前記訪問者が前記集合玄関機から前記居室機を呼出したときからカウントを開始し、所定時間経過後に前記パターン記憶部に記憶されている誘導パターンに基づいて前記表示灯を点灯／消灯させるためのタイマ（５９ａ、５９ｂ、５９ｃ、…）を備えたことを特徴とする請求項１記載の集合住宅用インターホンシステム。
【請求項３】
前記表示灯は、前記集合玄関機からの呼出が複数ある場合に各訪問者が自経路を特定させるため１以上の色で発光させるものであることを特徴とする請求項１または請求項２記載の集合住宅用インターホンシステム。
【請求項４】
前記集合玄関機は、前記訪問者が前記自経路で使用される前記表示灯の色を前記集合玄関機のスピーカ（７４）および（または）表示器（７７）で確認させるためのＲＯＭ（８２）を備えていることを特徴とする請求項３記載の集合住宅用インターホンシステム。
【発明の詳細な説明】
【０００１】
【発明の属する技術分野】
【０００２】
本発明は、集合住宅用インターホンシステムに係わり、特に、訪問先の住戸への経路を知らせて誘導するための表示灯を備える集合住宅用インターホンシステムに関する。
【従来の技術】
【０００３】
従来から、この種の集合住宅用インターホンシステムとして、図２に示ような構成の集合住宅用インターホンシステムが提案されている。
【０００４】
同図において、従来の集合住宅用インターホンシステムは、集合玄関に設置される集合玄関機７０と、各住戸２０ａ、２０ｂ、…内に設置され、個別の部屋番号を有する複数の居室機３０ａ、３０ｂ、…および玄関子機４０ａ、４０ｂ、…と、各住戸２０ａ、２０ｂ、…の近傍に設置される分岐器１０ａ、１０ｂ、…と、管理室内等に設置される管理室親機９０と、集合玄関機７０、居室機３０ａ、３０ｂ、…および管理室親機９０をそれぞれ制御するための制御機５０とを備えている。
【０００５】
ここで、各玄関子機４０ａ、４０ｂ、…は、それぞれ、第５の伝送路Ｌ５０ａ、Ｌ５０ｂ、…を介して対応する居室機３０ａ、３０ｂ、…に接続され、各居室機３０ａ、３０ｂ、…は、それぞれ、第３、第４の伝送路Ｌ３０ａ、Ｌ３０ｂ、…、Ｌ４０ａ、Ｌ４０ｂ、…を介して対応する分岐器１０ａ、１０ｂ、…に接続され、各分岐器１０ａ、１０ｂ、…には、それぞれ、第１、第２の伝送路Ｌ１０、Ｌ２０を介して制御機５０が接続されている。また、制御機５０は、第８の伝送路Ｌ８０を介して管理室親機９０に、第６、第７の伝送路Ｌ６０、Ｌ７０を介して集合玄関機７０にそれぞれ接続され、この集合玄関機７０には、第９の伝送路Ｌ９０を介してオートロックシステム８４０が接続されている。
【０００６】
各玄関子機４０ａ、４０ｂ、…は、それぞれ、玄関子機ＣＰＵ４６０、第１のデータ玄関子機ＩＦ４７０および玄関子機呼出釦４８０の各部を備えており、各玄関子機ＣＰＵ４６０は、それぞれ、第１のデータ玄関子機ＩＦ４７０および玄関子機呼出釦４８０に接続されている。各居室機３０ａ、３０ｂ、…は、それぞれ、ハンドセットレシーバ３２０ａおよびハンドセットマイク３２０ｂから成るハンドセット３２０、第１、第２のアンプ３３０、３４０、第１の音声居室機ＩＦ３５０、第２のデータ玄関子機ＩＦ３６０、フックＳＷ３７０、呼出音回路３８０、居室機ＣＰＵ３９０、第１のデータ居室機ＩＦ４００、電気錠釦４１０およびＤＩＰＳＷ４２０の各部を備えている。ここで、各居室機ＣＰＵ３９０は、それぞれ、第２のデータ玄関子機ＩＦ３６０、フックＳＷ３７０、呼出音回路３８０、第１のデータ居室機ＩＦ４００、電気錠釦４１０およびＤＩＰＳＷ４２０に接続され、各第２のデータ玄関子機ＩＦ３６０には、それぞれ、第５の伝送路Ｌ５０ａ、Ｌ５０ｂ、…を介して対応する玄関子機４０ａ、４０ｂ、…の第１のデータ玄関子機ＩＦ４７０が接続されている。また、各第１の音声居室機ＩＦ３５０は、それぞれ、第１のアンプ３３０を介してハンドセットレシーバ３２０ａに、第２のアンプ３４０を介してハンドセットマイク３２０ｂに接続されている。
【０００７】
各分岐器１０ａ、１０ｂ、…は、それぞれ、第１のデータ幹線ＩＦ１２０、第２のデータ居室機ＩＦ１３０、第１の音声幹線ＩＦ１４０および第２の音声居室機ＩＦ１５０の各部を備えている。ここで、各第１のデータ幹線ＩＦ１２０は、それぞれ、第２のデータ居室機ＩＦ１３０に接続され、各第２のデータ居室機ＩＦ１３０には、それぞれ、第３の伝走路Ｌ３０ａ、Ｌ３０ｂ、…を介して対応する居室機３０ａ、３０ｂ、…の第１のデータ居室機ＩＦ４００が接続されている。また、各第１の音声幹線ＩＦ１４０は、それぞれ、第２の音声居室機ＩＦ１５０に接続され、各第２の音声居室機ＩＦ１５０には、それぞれ、第４の伝走路Ｌ４０ａ、Ｌ４０ｂ、…を介して対応する居室機３０ａ、３０ｂ、…の第１の音声居室機ＩＦ３５０が接続されている。
【０００８】
制御機５０は、第２の音声幹線ＩＦ５２０、通話回路５３０、第１の音声集合玄関機ＩＦ５４０、第２のデータ幹線ＩＦ５５０、制御機ＣＰＵ５６０および第１のデータ集合玄関機ＩＦ５７０の各部を備えている。ここで、制御機ＣＰＵ５６０は、通話回路５３０、第２のデータ幹線ＩＦ５５０および第１のデータ集合玄関機ＩＦ５７０に接続され、通話回路５３０には、第２の音声幹線ＩＦ５２０および第１の音声集合玄関機ＩＦ５４０が接続されている。また、第２の音声幹線ＩＦ５２０は、第１の伝走路Ｌ１０を介して各分岐器１０ａ、１０ｂ、…の第１の音声幹線ＩＦ１４０に接続され、第２のデータ幹線ＩＦ５５０は、第２の伝走路Ｌ２０を介して各分岐器１０ａ、１０ｂ、…の第１のデータ幹線ＩＦ１２０に接続されている。
【０００９】
集合玄関機７０は、マイク７２０、スピーカ７４０、第１、第２のアンプ７３０、７５０、第２の音声集合玄関機ＩＦ７６０、表示器７７０、テンキー７８０、集合玄関機呼出釦７９０、オートロックＩＦ８００、集合玄関機ＣＰＵ８１０、ＲＯＭ８２０および第２のデータ集合玄関機ＩＦ８３０の各部を備えている。ここで、集合玄関機ＣＰＵ８１０は、表示器７７０、テンキー７８０、集合玄関機呼出釦７９０、オートロックＩＦ８００、ＲＯＭ８２０および第２のデータ集合玄関機ＩＦ８３０に接続され、ＲＯＭ８２０には、第２の音声集合玄関機ＩＦ７６０が接続され、第２のデータ集合玄関機ＩＦ８３０には、第７の伝走路Ｌ７０を介して制御機５０の第１のデータ集合玄関機ＩＦ５７０に、オートロックＩＦ８００には、第９の伝走路Ｌ９０を介してオートロックシステム８４０がそれぞれ接続されている。また、第２の音声集合玄関機ＩＦ７６０は、第１のアンプ７３０を介してマイク７２０に、第２のアンプ７５０を介してスピーカ７４０に、第６の伝走路Ｌ６０を介して制御機５０の第１の音声集合玄関機ＩＦ５４０にそれぞれ接続されている。
【００１０】
次に、このように構成された集合住宅用インターホンシステムの動作について説明する。
【００１１】
先ず、来訪者が、例えば、住戸２０ａ内の居住者を呼出すために、集合玄関機７０において、テンキー７８０で住戸２０ａの部屋番号を選択し、集合玄関機呼出釦７９０を押下すると、集合玄関機ＣＰＵ８１０から呼出データ信号Ｓ１０が出力され、この呼出データ信号Ｓ１０が、第２のデータ集合玄関機ＩＦ８３０、第７の伝送路Ｌ７０および第１のデータ集合玄関機ＩＦ５７０を経由して制御機ＣＰＵ５６０へ送出される。
【００１２】
そして、この呼出データ信号Ｓ１０が制御機ＣＰＵ５６０で検出されると、制御機ＣＰＵ５６０から住戸２０ａに係る呼出データ信号Ｓ２０が出力され、この呼出データ信号Ｓ２０が、第２のデータ幹線ＩＦ５５０、第２の伝送路Ｌ２０、分岐器１０ａの第１のデータ幹線ＩＦ１２０、第２のデータ居室機ＩＦ１３０および居室機３０ａの第１のデータ居室機ＩＦ４００を経由して居室機ＣＰＵ３９０へ送出される。
【００１３】
しかして、この住戸２０ａに係る呼出データ信号Ｓ２０が居室機ＣＰＵ３９０で検出されると、呼出音回路３８０が能動状態を呈し、図示しない居室機スピーカから呼出音が鳴動する。
【００１４】
ここで、住戸２０ａ内の居住者がハンドセット３２０を取り上げて呼出応答の操作を行なうと、フックＳＷ３７０が動作し、居室機ＣＰＵ３９０にフックアップ信号が入力される。しかして、このフックアップ信号が居室機ＣＰＵ３９０で検出されると、居室機ＣＰＵ３９０から応答データ信号Ｓ３０が出力され、この応答データ信号Ｓ３０が、第１のデータ居室機ＩＦ４００、第３の伝送路Ｌ３０ａ、第２のデータ居室機ＩＦ１３０、第１のデータ幹線ＩＦ１２０、第２の伝送路Ｌ２０、第２のデータ幹線ＩＦ５５０を経由して制御機ＣＰＵ５６０へ送出される。
【００１５】
そして、この応答データ信号Ｓ３０が、制御機ＣＰＵ５６０で検出されると、通話回路５３０が能動状態を呈する。そうすると、来訪者の音声は、集合玄関機７０のマイク７２０を介して通話信号Ｓ４０に変換され、この通話信号Ｓ４０は、第１のアンプ７３０、第２の音声集合玄関機ＩＦ７６０、第６の伝送路Ｌ６０、第１の音声集合玄関機ＩＦ５４０、通話回路５３０、第２の音声幹線ＩＦ５２０、第１の伝送路Ｌ１０、第１の音声幹線ＩＦ１４０、第２の音声居室機ＩＦ１５０、第４の伝送路Ｌ４０ａ、第１の音声居室機ＩＦ３５０、第１のアンプ３３０を経由してハンドセットレシーバ３２０ａに到達する。
【００１６】
また、住戸２０ａ内の居住者の音声は、ハンドセットマイク３２０ｂを介して通話信号Ｓ５０に変換され、この通話信号Ｓ５０は、第２のアンプ３４０、第１の音声居室機ＩＦ３５０、第４の伝送路Ｌ４０ａ、第２の音声居室機ＩＦ１５０、第１の音声幹線ＩＦ１４０、第１の伝送路Ｌ１０、第２の音声幹線ＩＦ５２０、通話回路５３０、第１の音声集合玄関機ＩＦ５４０、第６の伝送路Ｌ６０、第２の音声集合玄関機ＩＦ７６０、第２のアンプ７５０を経由してスピーカ７４０に到達する。
【００１７】
これにより、来訪者と住戸２０ａ内の居住者間で通話することが可能になる。
【００１８】
一方、通話中において、住戸２０ａ内の居住者が電気錠釦４１０を押下すると、居室機ＣＰＵ３９０から、解錠信号Ｓ６０が出力され、この解錠信号Ｓ６０が、第１のデータ居室機ＩＦ４００、第３の伝送路Ｌ３０ａ、第２のデータ居室機ＩＦ１３０、第１のデータ幹線ＩＦ１２０、第２の伝送路Ｌ２０、第２のデータ幹線ＩＦ５５０を経由して制御機ＣＰＵ５６０へ送出される。
【００１９】
そうすると、制御機ＣＰＵ５６０から住戸２０ａに係る解錠信号Ｓ７０が出力され、この解錠信号Ｓ７０が、第１のデータ集合玄関機ＩＦ５７０、第７の伝送路Ｌ７０、第２のデータ集合玄関機ＩＦ８３０を経由して集合玄関機ＣＰＵ８１０へ送出される。そして、住戸２０ａに係る解錠信号Ｓ７０が集合玄関機ＣＰＵ８１０で検出されると、集合玄関機ＣＰＵ８１０から、オートロック解錠信号Ｓ８０が出力され、このオートロック解錠信号Ｓ８０が第９の伝送路Ｌ９０を経由してオートロックシステム８４０に送出される。これにより、オートロックが解錠され、ひいては、来訪者の訪問が可能になる。
【発明が解決しようとする課題】
【００２０】
しかしながら、このような構成の集合住宅用インターホンシステムにおいては、集合玄関から訪問先の住戸に至る経路の表示が不充分であることから、訪問者が初めて住戸を訪問した場合等においては、集合玄関付近やエレベータの昇降口付近で右往左往するおそれがあった。特に、建物がエレベータを降りてから多方向に分かれるような集合住宅においては、訪問宅の確認に不便を来しているという難点があった。
【００２１】
本発明は、上記難点を解決するためになされたもので、集合玄関付近から訪問先の住戸に至る経路を表示することにより、訪問者が容易に住戸へ訪問し得る集合住宅用インターホンシステムスを提供することを目的としている。
【課題を解決するための手段】
【００２２】
このような目的を達成するために、本発明の集合住宅用インターホンシステムは、集合玄関に設置される集合玄関機と、各住戸内に設置され、個別の部屋番号および電気錠釦を有する複数の居室機と、各住戸内に設置され、呼出釦を有する玄関子機と、各住戸の近傍に設置される分岐器と、管理室内等に設置される管理室親機と、集合玄関機、居室機、管理室親機をそれぞれ制御するための制御機とから構成され、分岐器は、訪問者が集合玄関機から居室機を呼出して訪問先の住戸へ訪問する際に住戸への経路を知らせて誘導するための複数の表示灯を備え、居室機は、電気錠釦が居住者により押下されたことを検出し、表示灯を点灯制御するためのＣＰＵを備え、制御機は、表示灯を住戸ごとに設定した誘導パターンで表示させるためのパターン記憶部と、呼出釦が訪問者により押下されたことを検出し、表示灯を消灯制御するためのＣＰＵとを備えたことを特徴としている。
【００２３】
また、本発明の集合住宅用インターホンシステムは、訪問者が集合玄関機から居室機を呼出したときからカウントを開始し、所定時間経過後にパターン記憶部に記憶されている誘導パターンに基づいて表示灯を点灯／消灯させるためのタイマを備えたことを特徴としている。
【００２４】
さらに、本発明の集合住宅用インターホンシステムは、表示灯は、集合玄関機からの呼出が複数ある場合に各訪問者が自経路を特定させるため１以上の色で発光させるものであることを特徴としている。
【００２５】
また、本発明の集合住宅用インターホンシステムは、訪問者が自経路で使用される表示灯の色を集合玄関機のスピーカおよび（または）表示器で確認させるためのＲＯＭを備えていることを特徴としている。
【００２６】
これらの本発明の集合住宅用インターホンシステムによれば、集合玄関付近等から訪問先の住戸に至る経路が表示灯で案内されることから、訪問者の住戸への訪問が容易になる。
【発明の実施の形態】
【００２７】
以下、本発明の集合住宅用インターホンシステムを適用した好ましい実施の形態例について、図面を参照して詳述する。
【００２８】
図１において、本発明の集合住宅用インターホンシステムは、集合玄関に設置される集合玄関機７と、各住戸２ａ、２ｂ、…内に設置され、個別の部屋番号を有する複数の居室機３ａ、３ｂ、…および玄関子機４ａ、４ｂ、…と、各住戸２ａ、２ｂ、…の近傍に設置される分岐器１ａ、１ｂ、…と、管理室内等に設置される管理室親機９と、集合玄関機７、居室機３ａ、３ｂ、…および管理室親機９をそれぞれ制御するための制御機５とを備えている。
【００２９】
ここで、各玄関子機４ａ、４ｂ、…は、それぞれ、第５の伝送路Ｌ５ａ、Ｌ５ｂ、…を介して対応する居室機３ａ、３ｂ、…に接続され、各居室機３ａ、３ｂ、…は、それぞれ、第３、第４の伝送路Ｌ３ａ、Ｌ３ｂ、…、Ｌ４ａ、Ｌ４ｂ、…を介して対応する分岐器１ａ、１ｂ、…に接続され、各分岐器１ａ、１ｂ、…には、それぞれ、第１、第２の伝送路Ｌ１、Ｌ２を介して制御機５が接続されている。また、制御機５は、第８の伝送路Ｌ８を介して管理室親機９に、第６、第７の伝送路Ｌ６、Ｌ７を介して集合玄関機７にそれぞれ接続され、この集合玄関機７には、第９の伝送路Ｌ９を介してオートロックシステム８４が接続されている。
【００３０】
各玄関子機４ａ、４ｂ、…は、それぞれ、玄関子機ＣＰＵ４６、第１のデータ玄関子機ＩＦ４７および玄関子機呼出釦４８の各部を備えており、各玄関子機ＣＰＵ４６は、それぞれ、第１のデータ玄関子機ＩＦ４７および玄関子機呼出釦４８に接続されている。各居室機３ａ、３ｂ、…は、それぞれ、ハンドセットレシーバ３２ａおよびハンドセットマイク３２ｂから成るハンドセット３２、第１、第２のアンプ３３、３４、第１の音声居室機ＩＦ３５、第２のデータ玄関子機ＩＦ３６、フックＳＷ３７、呼出音回路３８、居室機ＣＰＵ３９、第１のデータ居室機ＩＦ４０、電気錠釦４１およびＤＩＰＳＷ４２の各部を備えている。ここで、各居室機ＣＰＵ３９は、それぞれ、第２のデータ玄関子機ＩＦ３６、フックＳＷ３７、呼出音回路３８、第１のデータ居室機ＩＦ４０、電気錠釦４１およびＤＩＰＳＷ４２に接続され、各第２のデータ玄関子機ＩＦ３６には、それぞれ、第５の伝送路Ｌ５ａ、Ｌ５ｂ、…を介して対応する玄関子機４ａ、４ｂ、…の第１のデータ玄関子機ＩＦ４７が接続されている。また、各第１の音声居室機ＩＦ３５は、それぞれ、第１のアンプ３３を介してハンドセットレシーバ３２ａに、第２のアンプ３４を介してハンドセットマイク３２ｂに接続されている。
【００３１】
各分岐器１ａ、１ｂ、…は、それぞれ、第１のデータ幹線ＩＦ１２、第２のデータ居室機ＩＦ１３、第１の音声幹線ＩＦ１４、第２の音声居室機ＩＦ１５、分岐器ＣＰＵ１６および複数の表示灯駆動回路１７ａ、１７ｂ、１７ｃ、…の各部を備えており、また、各分岐器１ａ、１ｂ、…の近傍には、複数の表示灯２１ａ、２１ｂ、２１ｃ、…が取付けられている。ここで、複数の表示灯２１ａ、２１ｂ、２１ｃ、…は、後述するように、それぞれ、集合玄関機７からの呼出が複数ある場合に、各訪問者が自経路を特定させるため１以上の色で発光するように構成されている。
【００３２】
しかして、各分岐器ＣＰＵ１６は、それぞれ、第１のデータ幹線ＩＦ１２および複数の表示灯駆動回路１７ａ、１７ｂ、１７ｃ、…に接続され、各表示灯駆動回路１７ａは、それぞれ、第２１の伝送路Ｌ２１ａ、Ｌ２１ｂ、Ｌ２１ｃ…を介して対応する表示灯２１ａ、２１ｂ、２１ｃ、…に接続されている。また、各第１のデータ幹線ＩＦ１２は、それぞれ、第２のデータ居室機ＩＦ１３に接続され、各第２のデータ居室機ＩＦ１３には、それぞれ、第３の伝走路Ｌ３ａ、Ｌ３ｂ、…を介して対応する居室機３ａ、３ｂ、…の第１のデータ居室機ＩＦ４０が接続されている。また、各第１の音声幹線ＩＦ１４は、それぞれ、第２の音声居室機ＩＦ１５に接続され、各第２の音声居室機ＩＦ１５には、それぞれ、第４の伝走路Ｌ４ａ、Ｌ４ｂ、…を介して対応する居室機３ａ、３ｂ、…の第１の音声居室機ＩＦ３５が接続されている。
【００３３】
制御機５は、第２の音声幹線ＩＦ５２、通話回路５３、第１の音声集合玄関機ＩＦ５４、第２のデータ幹線ＩＦ５５、制御機ＣＰＵ５６、第１のデータ集合玄関機ＩＦ５７、複数のタイマ５９ａ、５９ｂ、５９ｃ、…およびパターン記憶部５８の各部を備えている。ここで、パターン記憶部５８は、後述するように、表示灯２１ａ、２１ｂ、２１ｃ、…を住戸２ａ、２ｂ、…ごとに設定した誘導パターンで表示させる機能を有しており、複数のタイマ５９ａ、５９ｂ、５９ｃ、…は、それぞれ、訪問者が集合玄関機７から居室機３ａ、３ｂ、…を呼出したときからカウントを開始し、所定時間経過後にパターン記憶部５８に記憶されている誘導パターンに基づいて表示灯２１ａ、２１ｂ、２１ｃ、…を点灯／消灯させる機能を有している。
【００３４】
しかして、制御機ＣＰＵ５６は、通話回路５３、第２のデータ幹線ＩＦ５５、第１のデータ集合玄関機ＩＦ５７および複数のタイマ５９ａ、５９ｂ、５９ｃおよびパターン記憶部５８に接続され、通話回路５３には、第２の音声幹線ＩＦ５２および第１の音声集合玄関機ＩＦ５４が接続されている。また、第２の音声幹線ＩＦ５２は、第１の伝走路Ｌ１を介して各分岐器１ａ、１ｂ、…の第１の音声幹線ＩＦ１４に接続され、第２のデータ幹線ＩＦ５５は、第２の伝走路Ｌ２を介して各分岐器１ａ、１ｂ、…の第１のデータ幹線ＩＦ１２に接続されている。
【００３５】
集合玄関機７は、マイク７２、スピーカ７４、第１、第２のアンプ７３、７５、第２の音声集合玄関機ＩＦ７６、表示器７７、テンキー７８、集合玄関機呼出釦７９、オートロックＩＦ８０、集合玄関機ＣＰＵ８１、ＲＯＭ８２および第２のデータ集合玄関機ＩＦ８３の各部を備えている。ここで、ＲＯＭ８２は、後述するように、訪問者が自経路で使用される表示灯２１ａ、２１ｂ、２１ｃ、…の色を集合玄関機７のスピーカ７４および（または）表示器７７で確認させる機能を有している。しかして、集合玄関機ＣＰＵ８１は、表示器７７、テンキー７８、集合玄関機呼出釦７９、オートロックＩＦ８０、ＲＯＭ８２および第２のデータ集合玄関機ＩＦ８３に接続され、ＲＯＭ８２には、第２の音声集合玄関機ＩＦ７６が接続され、第２のデータ集合玄関機ＩＦ８３には、第７の伝走路Ｌ７を介して第１のデータ集合玄関機ＩＦ５７が、オートロックＩＦ８０には、第９の伝走路Ｌ９を介してオートロックシステム８４がそれぞれ接続されている。また、第２の音声集合玄関機ＩＦ７６は、第１のアンプ７３を介してマイク７２に、第２のアンプ７５を介してスピーカ７４に、第６の伝走路Ｌ６を介して第１の音声集合玄関機ＩＦ５４にそれぞれ接続されている。
【００３６】
次に、このような構成の集合住宅用インターホンシステムの動作について説明する。なお、来訪者と住戸内の居住者間の通話については、従来の集合住宅用インターホンシステムにおける動作と同様であることから、詳細な説明を省略し、ここでは、表示灯の動作を中心にして説明する。
【００３７】
先ず、例えば、住戸２ａ内の居住者が訪問者と通話して住戸２ａ内に来てもらうために、居室機３ａの電気錠釦４１を押下すると、居室機ＣＰＵ３９から解錠信号Ｓ１が出力され、この解錠信号Ｓ１が第１のデータ居室機ＩＦ４０、第３の伝送路Ｌ３ａ、第２のデータ居室機ＩＦ１３、第１のデータ幹線ＩＦ１２、第２の伝送路Ｌ２および第２のデータ幹線ＩＦ５５を経由して制御機ＣＰＵ５６へ送出される。
【００３８】
そして、住戸２ａに係る解錠信号Ｓ１が制御機ＣＰＵ５６を介してパターン記憶部５８へ送出されると、制御機ＣＰＵ５６から、分岐器１ａに係る第１の表示灯２１ａを点灯させるための点灯信号Ｓ２が出力され、この点灯信号Ｓ２が第２のデータ幹線ＩＦ５５へ送出されると共に、第１のタイマ５９ａにタイマ値がセットされカウントが開始される。また、これと共に、住戸２ａからの解錠情報および分岐器１ａに係る第１の表示灯２１ａを点灯させるための点灯情報を併有する解錠・点灯信号Ｓ３が第１のデータ集合玄関機ＩＦ５７へ送出される。
【００３９】
しかして、分岐器１ａの第１の表示灯２１ａに係る点灯信号Ｓ２が、第２の伝送路Ｌ２および第１のデータ幹線ＩＦ１２を経由して分岐器ＣＰＵ１６へ送出されると、第１の表示灯駆動回路１７ａが能動状態を呈する。これにより、住戸２ａの分岐器１ａに取付けられた第１の表示灯２１ａが点灯する。ここで、点灯信号Ｓ２は、集合玄関付近から住戸２ａに至る経路中に他の住戸に係る分岐器が存在する場合には、当該分岐器の分岐器ＣＰＵ１６にも送出されることになる。例えば、集合玄関付近から住戸２ａに至る経路中に住戸２ｂの分岐器１ｂが存在する場合には、当該分岐器１ｂに設置されている第１の表示灯２１ａも点灯することになる。
【００４０】
一方、解錠・点灯信号Ｓ３は、第７の伝送路Ｌ７および第２のデータ集合玄関機ＩＦ８３を経由して集合玄関機ＣＰＵ８１へ送出され、この解錠・点灯信号Ｓ３が集合玄関機ＣＰＵ８１で検出されると、この解錠・点灯信号Ｓ３に対応する情報、例えば、訪問者が集合玄関付近から訪問先の住戸２ａに至る経路で使用される表示灯２１ａの色が赤色である等の情報がＲＯＭ８２から取出され、これにより、スピーカ７４から音声で案内がなされる。また、表示器７７の表示内容（例えば、“赤の表示灯に従って進んで下さい”等）により、訪問者に対して住戸２ａへの経路が知らされる。
【００４１】
次に、表示灯２１ａの消灯について説明する。なお、表示灯２１ａの消灯には、次に説明するように、２通りの動作がある。
【００４２】
先ず、第１のタイマ５９aは、訪問者が集合玄関機７から居室機３ａを呼出したときからカウントを開始するが、所定時間経過すると、第１のタイマ５９aから、制御機ＣＰＵ５６にトリガが送出されれる。そして、このトリガが制御機ＣＰＵ５６で検出されると、制御機ＣＰＵ５６から表示灯１７ａを消灯するための消灯信号Ｓ４が出力され、この消灯信号Ｓ４が、第２のデータ幹線ＩＦ５５、第２の伝送路Ｌ２および第１のデータ幹線ＩＦ１２を経由して分岐器１ａの分岐器ＣＰＵ１６へ送出される。そして、この消灯信号Ｓ４が分岐器ＣＰＵ１６で検出されると、表示灯駆動回路１７ａがパッシブされ、表示灯駆動回路１７ａに接続された第１の表示灯２１ａが消灯する。ここで、消灯信号Ｓ４は、集合玄関付近から住戸２ａに至る経路中に、例えば住戸２ｂに係る分岐器１ｂが存在する場合には、当該分岐器１ｂの分岐器ＣＰＵ１６にも送出され、当該分岐器１ｂに設置されている第１の表示灯２１ａも消灯することになる。
【００４３】
次に、第１の表示灯２１ａの点灯中において、訪問者が玄関子機４ａの玄関子機呼出釦４８を押下すると、玄関子機ＣＰＵ４６から呼出信号Ｓ５が出力され、この呼出信号Ｓ５が第１のデータ玄関子機ＩＦ４７、第５の伝送路Ｌ５ａおよび第２のデータ玄関子機ＩＦ３６を介して居室機ＣＰＵ３９へ送出される。
【００４４】
そして、この呼出信号Ｓ５が居室機ＣＰＵ３９で検出されると、居室機ＣＰＵ３９から玄関子機４ａに係る呼出信号Ｓ６が出力され、この玄関子機４ａに係る呼出信号Ｓ６が、第１のデータ居室機ＩＦ４０、第３の伝送路Ｌ３ａ、第２のデータ居室機ＩＦ１３、第１のデータ幹線ＩＦ１２、第２の伝送路Ｌ２および第２のデータ幹線ＩＦ５５を経由して制御機ＣＰＵ５６へ送出される。
【００４５】
しかして、玄関子機４ａに係る呼出信号Ｓ６が 制御機ＣＰＵ５６で検出されると、第１のタイマ５９aがカウントを終了している場合においては、制御機ＣＰＵ５６から制御信号が出力されないが、第１のタイマ５９aがカウント中の場合においては、すなわち、第１の表示灯２１ａが点灯中の場合においては、制御機ＣＰＵ５６から、第１の表示灯２１ａを消灯させるための消灯信号Ｓ７が出力され、この消灯信号Ｓ７が第２のデータ幹線ＩＦ５５、第２の伝送路Ｌ２および第１のデータ幹線ＩＦ１２を経由して分岐器ＣＰＵ１６へ送出される。しかして、この消灯信号Ｓ７が分岐器ＣＰＵ１６で検出されると、表示灯駆動回路１７ａがパッシブ状態にされ、この表示灯駆動回路１７ａに接続された第１の表示灯２１ａが消灯する。ここで、消灯信号Ｓ７は、前述と同様に、集合玄関付近から住戸２ａに至る経路中に、例えば住戸２ｂに係る分岐器１ｂが存在する場合には、当該分岐器１ｂの分岐器ＣＰＵ１６にも送出され、当該分岐器１ｂに設置されている第１の表示灯２１ａも消灯することになる。
【００４６】
以上の実施例においては、来訪者が一人の場合について述べているが、第１の表示灯２１ａが点灯している間で、かつ一人の来訪者が住戸２ａへ向かっている最中に、他の来訪者の訪問があった場合においては、第１の表示灯２１ａと異なる色で発光する他の表示灯２１ｂ、２１ｃ、…が使用され、前述と同様にして並行して点灯・消灯制御されることになる。
【発明の効果】
【００４７】
以上の説明から明らかなように、本発明の集合住宅用インターホンシステムによれば、集合玄関機から居室機を呼出して訪問先の住戸へ訪問する際に、住戸への経路を知らせるための複数の表示灯を備えていることから、訪問者は表示灯に従って訪問先の住戸へ容易に訪問することができる。
【図面の簡単な説明】
【００４８】
【図１】本発明による集合住宅用インターホンシステムの一実施例の構成を示すブロック図。
【図２】従来の集合住宅用インターホンシステムの構成を示すブロック図。
【符号の説明】
【００４９】
２１ａ、２１ｂ、２１ｃ・・・表示灯
３ａ、３ｂ・・・居室機
４ａ・・・玄関子機
４８・・・呼出釦（玄関子機呼出釦）
５・・・制御機
５６・・・制御機ＣＰＵ
５９ａ、５９ｂ、５９ｃ・・・タイマ
５８・・・パターン記憶部
７・・・集合玄関機
７４・・・スピーカ
７７・・・表示器
８２・・・ＲＯＭ
９・・・管理室親機
【図１】
0004718696.tif 000002
【図２】
0004718696.tif 000003